(57)【要約】【課題】磁気回路部への磁気的な影響を抑制しながら磁気回路部の振動を抑えるスピーカ装置を提供することを目的とする。【解決手段】振動部７を有し、振動部７の振動により音声を生成するスピーカ装置１であって、振動部７を振動させるための磁界を形成する磁気回路部６と、磁気回路部６に固定され、振動部７の振動による反力を受ける磁気回路部６の振動を抑える錘部３と、を備え、錘部３は、磁気回路部６と錘部３との間に磁気回路部６と錘部３とを磁気的に隔てる所定空間が形成されるように磁気回路部６と錘部３とを結合する結合部８Ｂを介して、磁気回路部６に固定される。【選択図】図１
2010154184.tif 000002
【特許請求の範囲】
【請求項１】
振動部を有し、該振動部の振動により音声を生成するスピーカ装置であって、
前記振動部を振動させるための磁界を形成する磁気回路部と、
前記磁気回路部に固定され、前記振動部の振動による反力を受ける該磁気回路部の振動を抑える錘部と、を備え、
前記錘部は、前記磁気回路部と該錘部との間に該磁気回路部と該錘部とを磁気的に隔てる所定空間が形成されるように該磁気回路部と該錘部とを結合する結合部を介して、該磁気回路部に固定される、
スピーカ装置。
【請求項２】
前記振動部は、電気的な音声信号が流れるコイルを有し、
前記磁気回路部は、磁石部と、前記コイルが配置される空間へ該磁石部の磁束を案内するヨーク部とを有し、
前記錘部は、前記結合部が前記ヨーク部と該錘部との間に非磁性体の材料で構成されるスペーサを挟んだ状態で該磁気回路部と該錘部とを結合することにより、前記所定空間が形成された状態で該磁気回路部に固定される、
請求項１に記載のスピーカ装置。
【請求項３】
前記錘部は、前記コイルが配置される空間に形成される磁界の強度と該錘部による前記磁気回路部の振動抑制効果との相関関係に基づき、該磁気回路部から該錘部に向かう方向の前記スペーサの長さによって該磁気回路部と該錘部との間の距離が調整された状態で、該磁気回路部に固定される、
請求項２に記載のスピーカ装置。
【請求項４】
前記振動部は、電気的な音声信号が流れるコイルを有し、
前記磁気回路部は、磁石部と、前記コイルが配置される空間へ該磁石部の磁束を案内するヨーク部とを有し、
前記錘部は、前記結合部が前記ヨーク部と該錘部との間に前記磁気回路部から漏れる磁束を抑える防磁部を挟んだ状態で該磁気回路部と該錘部とを結合することにより、該磁気回路部と該錘部との間に前記所定空間が形成された状態で該磁気回路部に固定される、
請求項１に記載のスピーカ装置。
【請求項５】
前記錘部は、非磁性体の材料で構成されるネジによって前記磁気回路部と締結される、
請求項１から４の何れか一項に記載のスピーカ装置。
【発明の詳細な説明】
【技術分野】
【０００１】
本発明は、音声を生成するスピーカ装置に関する。
【背景技術】
【０００２】
スピーカ装置においては、原理的には、磁石を含む磁気回路部からの磁気回路とボイスコイルを流れる電流により振動板が振動され、それにより音声が生成される。ここで、磁気回路部は、いわば振動板を振動させるものであり、振動板の振動に対して固定して設置されることが望まれる。しかし、実際には、スピーカ駆動の際には、振動板からの反発力により磁気回路部自体も何らかの振動状態に置かれてしまい、スピーカ装置の音質が低下してしまう場合がある。
【０００３】
そこで、上記反発力による磁気回路部の振動を抑制するために、磁気回路部に錘を追加的に取り付けることで、磁気回路部の振動を抑制する技術が提案されている（例えば、特許文献１を参照）。当該技術では、スピーカ装置の磁気回路部に鉢形の鉄製の錘を追加的に嵌め込むことで、スピーカ装置の音質低下の抑制を図っている。
【０００４】
また、今日の急速な電子機器の普及により、スピーカ装置に隣接して配置される電子機器が増加の一途を辿っている。このため、スピーカ装置から漏洩する磁気を抑制し、周辺の電子機器に与える影響を抑制する技術が提案されている（例えば、特許文献２を参照）。当該技術では、磁気抵抗材料を防磁用マグネットとシールドカバーとの間に介在させることで、スピーカ装置から漏洩する磁気の抑制を図っている。
【特許文献１】特開２００２−１５２８８４号公報
【特許文献２】特開昭６２−３８１００号公報
【発明の開示】
【発明が解決しようとする課題】
【０００５】
従来のスピーカ装置においてその音質を向上させるために、その磁気回路部に追加的に錘を設ける場合、質量の大きい錘を採用することで磁気回路部の振動を効果的に抑制することが図られる。磁気回路部の振動を効果的に抑制可能な高質量の材料として金属系の材料を挙げることができるが、金属系の材料の多くは強磁性体であるため、これを錘に用いる場合は磁気回路部の磁気への影響が懸念される。
【０００６】
本発明は、係る問題に鑑みてなされたものであり、磁気回路部への磁気的な影響を抑制しながら磁気回路部の振動を抑えるスピーカ装置を提供することを目的とする。
【課題を解決するための手段】
【０００７】
上記課題を解決するために、本発明では、磁気回路部と錘部とを磁気的に隔てる所定空間が形成されるように磁気回路部と錘部とを結合する結合部を介して、錘部が磁気回路部に固定されるようにした。詳細には、振動部を有し、該振動部の振動により音声を生成するスピーカ装置であって、前記振動部を振動させるための磁界を形成する磁気回路部と、前記磁気回路部に固定され、前記振動部の振動による反力を受ける該磁気回路部の振動を抑える錘部と、を備え、前記錘部は、前記磁気回路部と該錘部との間に該磁気回路部と該錘部とを磁気的に隔てる所定空間が形成されるように該磁気回路部と該錘部とを結合する結合部を介して、該磁気回路部に固定される。
【０００８】
上述のスピーカ装置は、磁気回路部が形成する磁界において、振動部が振動することで音声を生成する。ここで、振動部は、空気を動かして音声を生成するものであり、また、
自らも質量を有するものであるため、振動部を振動させる磁気回路部に対しても不可避的に振動を与えることになる。振動部からの反力により磁気回路部が振動すると、磁気回路部から振動部へ伝達される駆動力が減衰して音質が低下するので、これを抑制するため、磁気回路部に錘部が固定される。この錘部は、磁気回路部が振動部の振動に起因して受ける反発力に抗し、スピーカ装置の音質維持に貢献し得る質量を有する。
【０００９】
ここで、上記スピーカ装置は、錘部が結合部によって磁気回路部に固定されることで、磁気回路部の振動が錘部に伝わるようになっている。この結合部は、磁気回路部と錘部とを磁気的に隔てる所定空間が両者の間に形成される状態で両者を結合するものである。錘部は、このような結合部によって磁気回路部に固定されることにより、磁気回路部と錘部との間が磁気的に隔てられた状態で磁気回路部の振動を抑えることが可能となる。従って、錘部が磁気回路部に固定されることによる磁気回路部の磁気的な影響を抑制しながら、磁気回路部の振動を抑えることが可能となる。なお、ここで、所定空間とは、磁気回路部と錘部との間に形成される磁気的な空間であり、例えば、磁気回路部と錘部とを磁気的に絶縁する空間である。
【００１０】
また、前記振動部は、電気的な音声信号が流れるコイルを有し、前記磁気回路部は、磁石部と、前記コイルが配置される空間へ該磁石部の磁束を案内するヨーク部とを有し、前記錘部は、前記結合部が前記ヨーク部と該錘部との間に非磁性体の材料で構成されるスペーサを挟んだ状態で該磁気回路部と該錘部とを結合することにより、前記所定空間が形成された状態で該磁気回路部に固定されるものであってもよい。このように構成されるスピーカ装置であれば、ヨーク部がスペーサを挟んで錘部と結合しているため、振動部からヨーク部へ伝わる反力がスペーサを介して錘部に伝わり、磁気回路部の振動が効果的に抑制される。また、錘部が非磁性体を介して磁気回路部に固定されているので、磁気回路部への磁気的な影響を抑制しつつ、磁気回路部の振動を抑えることが可能である。
【００１１】
また、前記錘部は、前記コイルが配置される空間に形成される磁界の強度と該錘部による前記磁気回路部の振動抑制効果との相関関係に基づき、該磁気回路部から該錘部に向かう方向の前記スペーサの長さによって該磁気回路部と該錘部との間の距離が調整された状態で、該磁気回路部に該スペーサを介して固定されるものであってもよい。このように構成されるスピーカ装置であれば、錘部が磁気回路部から離れることによる磁気回路部への磁界の影響緩和と、錘部が磁気回路部に近接して固定されることによる振動抑制という、相反する両方の要素についてその均衡を図りながら、スピーカの音質を最適にする観点で微調整を施すことが可能となるため、製品ごとの音響特性のバラつきなどに対して容易に対応することができる。
【００１２】
また、前記振動部は、電気的な音声信号が流れるコイルを有し、前記磁気回路部は、磁石部と、前記コイルが配置される空間へ該磁石部の磁束を案内するヨーク部とを有し、前記錘部は、前記結合部が前記ヨーク部と該錘部との間に前記磁気回路部から漏れる磁束を抑える防磁部を挟んだ状態で該磁気回路部と該錘部とを結合することにより、該磁気回路部と該錘部との間に前記所定空間が形成された状態で該磁気回路部に固定されるものであってもよい。このように構成されるスピーカ装置であれば、ヨーク部が防磁部を挟んで錘部と結合しているため、振動部からヨーク部へ伝わる反力が防磁部を介して錘部に伝わり、磁気回路部の振動が効果的に抑制される。また、磁気回路部の磁束が錘部によって影響されないように、磁気回路部と錘部との間に防磁部を挟んでいるため、磁気回路部への磁気的な影響を抑制しつつ、磁気回路部の振動を効果的に抑えることが可能である。
【００１３】
また、前記錘部は、非磁性体の材料で構成されるネジによって前記磁気回路部と結合されていてもよい。このように構成されるスピーカ装置であれば、磁気回路部と錘部がネジを介して強固に結合されるので磁気回路部の振動が錘部に確実に伝わり、且つ、磁気回路
部への磁気的な影響を抑制することが可能である。
【発明の効果】
【００１４】
磁気回路部への磁気的な影響を抑制しながら磁気回路部の振動を抑えるスピーカ装置を提供することが可能となる。
【発明を実施するための最良の形態】
【００１５】
以下、本願発明の実施形態について説明する。なお、以下に示す各実施形態は、本願発明の具体的な実施形態を例示的に示すものであり、本願発明の権利範囲を限定するものではない。
【００１６】
図１は、第一実施形態に係るスピーカ装置１を右側から見た場合の内部構造を示す図である。スピーカ装置１は、図１に示すように、電気信号を音声に変換するスピーカユニット２、スピーカユニット２の振動を抑えるアンカー３（本発明でいう錘部に相当する）、及びこれらを支持するステー４を備えている。スピーカユニット２は、基本的には従来からある一般的なスピーカと同様であり、ボイスコイル５が磁気回路部６の磁界を利用して振動板７（本発明でいう振動部に相当する）を振動させることにより、振動板７が空気を振動させて音を出す。スピーカユニット２は、背面側がアンカー３と連結されていることにより、振動板７の振動がアンカー３にそのまま伝わる。スピーカユニット２は、アンカー３を介してステー４と連結されており、これによりスピーカユニット２が支持されている。
【００１７】
アンカー３は、長手方向の一端側が細くなった円柱状の外形を有する鉄製の錘であり、細い方がスピーカ装置１の背面側を向き、スピーカユニット２と連結された他端が正面側を向くようにステー４に固定されている。アンカー３が鉄で構成されているのは、コスト面や加工性の面でステンレス等の材料よりも優れるからである。アンカー３は、振動板７からの反発力による磁気回路部６の不要な振動を抑制するために必要な質量を有している。アンカー３は、磁気回路部６のヨーク１１と結合されて構造的に一体となることで、磁気回路部６の不要な振動を抑制する。なお、アンカー３の外周面には、ステー４と連結するための固定ネジ８Ａが挿通される孔を有する鍔９が設けられており、アンカー３の中心軸の部分にはスピーカユニット２を固定するための固定ネジ８Ｂ（本発明でいう結合部に相当する）が挿通される孔が設けられている。アンカー３がステー４の孔に嵌ることで鍔９がステー４の背面に当接する。アンカー３は、この状態で固定ネジ８Ａが取り付けられることによりステー４に固定される。なお、アンカー３は、このようにステー４と固定ネジ８Ａを介して結合されるもののみならず、アンカー３がステー４と一体成形されていてもよい。
【００１８】
図２は、図１に示す上記スピーカ装置１の内部構造のうち、磁気回路部６及びその周辺部分を拡大した要部拡大図である。スピーカユニット２は、図２に示すように、環状の主マグネット１０を有する、いわゆる外磁型の磁気回路部６を備えている。磁気回路部６は、円盤状のヨーク１１とヨーク１１の中心部から突出する円柱状のポール１２とで構成されるセンターポール１３と、ポール１２の周りを周回する環状のプレート１４とを有している。ポール１２の周りを周回する環状のプレート１４は、ポール１２との間に微小な隙間であるギャップ１５を形成している。また、プレート１４とヨーク１１との間には主マグネット１０が挟まれるように配置されている。主マグネット１０は、永久磁石である。ここで、センターポール１３およびプレート１４は、強磁性体の鉄で構成されている。このため、磁気回路部６は、主マグネット１０、ヨーク１１、ポール１２、ギャップ１５、プレート１４で構成されており、これらを順に通過し、再び主マグネット１０に戻る磁気回路を形成する。なお、主マグネット１０は、スピーカ装置１の正面側がＳ極であり、背面側がＮ極になるように配置されている。
【００１９】
プレート１４の正面側には、振動板７を支持するフレーム１８が固定されている。振動板７は、その外周側に装着された変形可能な弾性部材で形成されるエッジ１６および内周側に装着されたダンパ１７を介してフレーム１８と連結されており、エッジ１６およびダンパ１７が変形可能な一定の範囲内で、磁気回路部６と相対的に移動可能である。振動板７は、その中心部にボイスコイル５が巻きつけられたボビン１９を有しており、これらボビン１９やボイスコイル５がギャップ１５に挿入されている。ギャップ１５では磁気回路部６によって形成される磁界が形成されているため、ボイスコイル５に電気が流れると振動板７を前後方向に駆動する力が作用する。すなわち、ボイスコイル５に電気音声信号を流すと、ギャップ１５の磁界と電気音声信号が流れるボイスコイル５との相互的な作用により、振動板７が電気音声信号の波形に準拠した振動を発生する。
【００２０】
なお、ヨーク１１の背面側には環状のキャンセルマグネット２０が、Ｎ極が正面側を向き、Ｓ極が背面側を向く状態で当接するように配置されている。キャンセルマグネット２０は、永久磁石である。更に、キャンセルマグネット２０や磁気回路部６は、一端が開口する円筒状のシールドカバー２１の内部に収容されており、磁気回路部６の磁気が周囲に漏洩しないように構成されている。なお、シールドカバー２１の中心部には、ヨーク１１とアンカー３との結合を可能にするための孔が設けられている。
【００２１】
ここで、スピーカユニット２は、スペーサ２２および固定ネジ８Ｂを介してアンカー３に結合されている。詳細には、ヨーク１１の背面側の中心部に固定ネジ８Ｂのネジ孔が設けられており、アンカー３の孔に嵌ったスペーサ２２がヨーク１１の背面側に当接するようにして、スピーカユニット２がアンカー３に結合される。このように、スピーカユニット２のヨーク１１とアンカー３とが結合されていることにより、振動板７が振動して周囲に音を発する際に周囲の空気から振動板７に加わる反力は、フレーム１８やボイスコイル５を介して磁気回路部６へ伝わり、磁気回路部６を振動させる。しかし、磁気回路部６のヨーク１１には、所定の質量を有するアンカー３がスペーサ２２を介して固定されているため、振動板７から磁気回路部６へ伝わる反力がアンカー３の質量によって十分に打ち消され、磁気回路部６の振動に起因するスピーカ装置１の音質の低下が抑制される。なお、所定の質量とは、磁気回路部６が振動板７の振動に起因して受ける反力に抗し、スピーカ装置の音質維持に貢献し得る質量である。
【００２２】
ところで、上記スペーサ２２は、非磁性体であるアルミニウムで形成されている。ここで、仮にスペーサ２２が強磁性体の鉄等で形成されているとすれば、磁気回路部６の磁束の一部がスペーサ２２を介してアンカー３へ到達し、スピーカ装置１の周辺に磁界を形成することとなる（図３参照）。しかし、本実施形態に係るスピーカ装置１ではスペーサ２２が非磁性体であるアルミで形成されており、スペーサ２２が磁気抵抗体としての役割を司っているため、図４に示すように磁気回路部６からアンカー３へ磁束が流れない。従って、本来であればギャップ１５の磁界の形成に寄与すべき磁束の一部がアンカー３へ回り込んだりすることがないため、ギャップ１５に形成される磁界の強度が減衰することが無くなる。この結果、アンカー３と磁気回路部６との間には、両者を磁気的に隔てる空間（本発明でいう、所定空間に相当する）が形成される。
【００２３】
以上のように構成されるスピーカ装置１によれば、磁気回路部６の振動及び磁気回路部６の磁気への影響が抑制されるので、良質な音を再現することが可能となる。また、スピーカ装置１の周囲に漏れる磁気も低減されるため、防磁規格等を満たすようにすることが可能となる。なお、上記実施形態では、スペーサ２２用の非磁性体材料として、アルミニウムを例示したが、本発明はこのような材料に限定されるものではない。スペーサ２２として用いることが可能な非磁性体材料としては、例えば、真鍮や樹脂等を用いることも可能である。また、上記実施形態では、主マグネット１０の極性を、正面側がＳ極、背面側
がＮ極となるように配置しているが、その極性は逆向きであってもよい。この場合、キャンセルマグネット２０の極性についても逆向きにすることを要する。また、上記実施形態では、固定ネジ８Ｂの材料に強磁性体材料である鉄を用いているが、固定ネジ８Ｂをスペーサ２２と同様、非磁性体材料であるステンレス等で形成してもよい。固定ネジ８Ｂを非磁性体材料で形成すれば、磁気回路部６からアンカー３へ回り込む磁気をより確実に抑制することが可能である。また、上記実施形態では外磁型の磁気回路部６でスピーカ装置１を構成していたが、本発明はこのようなものに限定されるものでなく、例えば、いわゆる内磁型の磁気回路部で構成することも可能である。
【００２４】
また、上記実施形態では、スペーサ２２を非磁性体材料で構成していたが、本発明はこのような材料に限定されるものではない。例えば、上記スペーサ２２を永久磁石等の磁性体材料で形成してもよい。図５は、スペーサ２２を永久磁石で形成した場合の磁束の流れを示した図である。本変形例では、スペーサ２２に永久磁石を用いるが、このスペーサ２２の極性は、図５に示すように、キャンセルマグネット２０の極性と同じ方向になるようにする。すなわち、スペーサ２２の極性を、Ｎ極が正面側を向き、Ｓ極が背面側を向く状態にする。スペーサ２２がキャンセルマグネット２０と同様、磁気回路部６から磁気が漏洩するのを防ぐように配置されることにより、スペーサ２２を非磁性体材料で構成した上記実施形態と同様の作用効果を奏することが可能である。但し、キャンセルマグネットとしての役割を奏するスペーサ２２の磁束がアンカー３を通過するため、スピーカ装置１の防磁性能は上記実施形態に比べて若干劣る。しかし、少なくとも磁気回路部６の磁気がアンカー３へ回り込むのは抑制されるため、ギャップ１５の磁界の強度は十分に保つことができる。
【００２５】
図６Ａは、第二実施形態に係るスピーカ装置５１を右側から見た場合の内部構造を示す図である。上述した第一実施形態と同様の構成要素については同一の名称および符号を付し、その詳細な説明を省略する。本実施形態に係るスピーカ装置５１は、第一実施形態に係るスピーカ装置１と同様、図６Ａに示すように、スピーカユニット２、スピーカユニット２の振動を抑えるアンカー５２、及びこれらを支持するステー４を備えている。スピーカユニット２やステー４の構成は上述した第一実施形態と同様であるため、その説明を省略する。
【００２６】
本実施形態に係るスピーカ装置５１のアンカー５２は、第一実施形態に係るスピーカ装置１のアンカー３と異なり、スペーサ２２を嵌める孔が設けられていない。その他の点は、第一実施形態に係るアンカー３と同様である。そして、本実施形態に係るスピーカ装置１は、図６Ａに示すようにアンカー５２とスピーカユニット２とが、第一実施形態に係るスピーカ装置１のようなスペーサ２２を介さずに連結されている。よって、アンカー５２の正面側が、スピーカユニット２のシールドカバー２１の背面側に当接している。
【００２７】
このように構成されるスピーカ装置５１によれば、磁気回路部６の振動がキャンセルマグネット２０、及びシールドカバー２１を介してアンカー５２へ伝わる。よって、振動板７から磁気回路部６へ伝わる反力がアンカー５２の質量によって十分に打ち消され、磁気回路部６の振動に起因するスピーカ装置５１の音質の低下を抑制することが可能である。また、磁気回路部６からアンカー３へ回り込む磁気はキャンセルマグネット２０によって抑制されるため、磁気回路部６の磁気がアンカー３へ回り込むことに起因するギャップ１５の磁界の強度の減衰が抑制される。従って、このスピーカ装置５１によれば、磁気回路部６の振動及び磁気回路部６の磁気への影響が抑制されるので、良質な音を再現することが可能である。
【００２８】
なお、本実施形態において、固定ネジ８Ｂの材料としては非磁性体材料のアルミニウムや真鍮等を用いることが好ましいが、強磁性体材料である鉄等を用いることも可能である
。また、本実施形態ではアンカー５２とキャンセルマグネット２０との間にシールドカバー２１が挟まれているが、本発明はこのような実施形態に限定されるものではない。すなわち、アンカー５２はキャンセルマグネット２０と直接的に接触していてもよい。
【００２９】
また、本実施形態では、シールドカバー２１とアンカー５２が面接触しているものを図６Ａで例示したが、本発明はこのようなものに限定されるものではない。例えば、図６Ｂに示されるように、シールドカバー２１とアンカー５２との接触面積を減らすものとして、シールドカバー２１に環状のリブ５３を設けてもよい。リブ５３により、シールドカバー２１とアンカー５２との間に磁気的な抵抗が生ずるため、キャンセルマグネット２０が磁気回路部６から漏れる磁束をより効果的に抑制し、ギャップ１５の磁界の強度を高めることが可能である。
【００３０】
図７は、第三実施形態に係るスピーカ装置１０１を右側から見た場合の内部構造を示す図である。上述した第一実施形態と同様の構成要素については同一の名称および符号を付し、その詳細な説明を省略する。本実施形態に係るスピーカ装置１０１は、第一実施形態に係るスピーカ装置１と同様、図７に示すように、スピーカユニット２、スピーカユニット２の振動を抑えるアンカー１０２、及びこれらを支持するステー４を備えている。スピーカユニット２やステー４の構成は上述した第一実施形態と同様であるため、その説明を省略する。
【００３１】
図８は、本実施形態に係るスピーカ装置１０１の磁気回路部６及びその周辺部分を拡大した要部拡大図である。本実施形態に係るスピーカ装置１０１のアンカー１０２は、第一実施形態に係るスピーカ装置１のアンカー３と異なり、スペーサ２２を嵌める孔がネジ孔になっている。また、アンカー１０２とスピーカユニット２は、ネジ部を有するスペーサ１０３によって連結されている。本実施形態に係るスピーカ装置１０１は、スペーサ１０３を回転することによりスピーカユニット２とアンカー１０２との間の間隔を調整可能である。
【００３２】
スピーカユニット２とアンカー１０２との間の間隔を詰めると、磁気回路部６からアンカー１０２へ漏れる磁気が増えるのでギャップ１５の磁界が弱まる反面、磁気回路部６の振動はより効果的に抑制される。他方、スピーカユニット２とアンカー１０２との間の間隔を広げると、磁気回路部６の振動を抑制する効果は若干失われる反面、磁気回路部６からアンカー１０２へ漏れる磁気が減るのでギャップ１５の磁界が強まる。なお、スピーカユニット２とアンカー１０２との間の間隔を詰めたい場合は、固定ネジ８Ｂを外してスピーカユニット２をアンカー１０２から外したのち、スペーサ１０３を右に回転させてねじ込み、スピーカユニット２を固定ネジ８Ｂで再びアンカー１０２に固定する。一方、スピーカユニット２とアンカー１０２との間隔を広げたい場合は、固定ネジ８Ｂを外してスピーカユニット２をアンカー１０２から外したのち、スペーサ１０３を左に回転させてねじを手前に出し、スピーカユニット２を固定ネジ８Ｂで再びアンカー１０２に固定する。
【００３３】
本実施形態に係るスピーカ装置１０１によれば、スピーカユニット２とアンカー１０２との間隔を調整可能であるため、上記各実施形態と同様の作用効果の他、製品毎の音響特性のバラつきを調整することで良質な音を再現することが可能である。図９は、スピーカユニット２とアンカー１０２との距離とギャップ１５の磁束との相関関係を示したグラフである。図９に示されるように、スピーカユニット２とアンカー１０２は、その間隔が広がるほどギャップ１５の磁界の強度向上に寄与するが、その効果は徐々に弱まる。よって、本実施形態のようにスピーカユニット２とアンカー１０２との間隔が調整可能であれば、アンカー１０２による振動抑制効果とギャップ１５の磁界の強度向上効果との相関から、最適な音質となる位置関係に両者を調整することが可能となる。
【００３４】
なお、アンカー１０２とスピーカユニット２との間隔を調整する手段としては、このようなネジ部を有するスペーサ１０３によって実現されるものに限定されるものではない。例えば、間隔を調整するための薄板をスペーサ１０３と共にスピーカユニット２とアンカー１０２との間に挟むことで、両者の間隔を調整するものであってもよいし、様々な大きさのスペーサ１０３を多数用意し、最適なものを選択するようにしてもよい。
【図面の簡単な説明】
【００３５】
【図１】第一実施形態に係るスピーカ装置の内部構造図。
【図２】第一実施形態に係るスピーカ装置の磁気回路部及びその周辺部分を拡大した要部拡大図。
【図３】スペーサが強磁性体の場合の磁束の流れを示す図。
【図４】第一実施形態に係るスピーカ装置の磁束の流れを示す図。
【図５】第一実施形態の変形例に係るスピーカ装置の磁束の流れを示す図。
【図６Ａ】第二実施形態に係るスピーカ装置の内部構造図。
【図６Ｂ】第二実施形態の変形例に係るスピーカ装置の磁気回路部及びその周辺部分を拡大した要部拡大図。
【図７】第三実施形態に係るスピーカ装置の内部構造図。
【図８】第三実施形態に係るスピーカ装置の磁気回路部及びその周辺部分を拡大した要部拡大図。
【図９】スピーカとアンカーとの距離とギャップの磁束との相関関係を示したグラフ。
【符号の説明】
【００３６】
１，５１，１０１・・・スピーカ装置
２・・・スピーカユニット
３，５２，１０２・・・アンカー
６・・・磁気回路部
７・・・振動板
８Ａ，８Ｂ・・・固定ネジ
１０・・・主マグネット
１１・・・ヨーク
１５・・・ギャップ
２０・・・キャンセルマグネット
２２，１０３・・・スペーサ
【図１】
2010154184.tif 000003
【図２】
2010154184.tif 000004
【図３】
2010154184.tif 000005
【図４】
2010154184.tif 000006
【図５】
2010154184.tif 000007
【図６Ａ】
2010154184.tif 000008
【図６Ｂ】
2010154184.tif 000009
【図７】
2010154184.tif 000010
【図８】
2010154184.tif 000011
【図９】
2010154184.tif 000012